(57)【要約】【課題】断熱材の膨張圧によりサイドパネルが外方へ拡がるのを防止し得る断熱箱体を提供する。【解決手段】  断熱箱体４０は、フロントパネル、サイドパネル１６,１６およびバックパネルにより構成されて、上方開口部４６を覆蓋するトップパネル４８が配設された外箱１８と、内部に貯氷庫が画成された内箱とを備える。外箱１８および内箱の間には、断熱材が充填される。各サイドパネル１６に設けた補強フレーム７０には、上方へ突出すると共にサイドパネル１６に沿って前後方向に延在するリブ８２が形成される。また、トップパネル４８の下面に設けたカバー部材８８の左右の縁部には、下方へ突出すると共に、該トップパネル４８の左右の縁部に沿って前後方向に延在する屈曲縁部９０,９０が形成される。各屈曲縁部９０は、対応するリブ８２の側面に外側から当接して、サイドパネル１６が外方へ湾曲するのを規制する。【選択図】図４
2010190433.tif 000002
【特許請求の範囲】
【請求項１】
フロントパネル(12)、左右のサイドパネル(16,16)およびバックパネル(14)により上方に開放する箱状に構成されると共に、上方開口部(46)を覆蓋するようトップパネル(48)が配設された外箱(18)と、前記外箱(18)に収容されると共に上方に開口して前記上方開口部(46)に連通する収納室(22)が内部画成された内箱(24)とを備え、外箱(18)および内箱(24)の間に断熱材(26)が充填された断熱箱体において、
前記各サイドパネル(16)に上方へ突出するよう設けられ、該サイドパネル(16)に沿って前後方向に延在する第１当接部(82,82)と、
前記トップパネル(48)の左右の縁部に下方へ突出するよう設けられ、該トップパネル(48)の左右の縁部に沿って前後方向に延在すると共に、対応する前記第１当接部(82,82)の側面に外側から当接する第２当接部(90,90)とを備えた
ことを特徴とする断熱箱体。
【請求項２】
前記左右の各サイドパネル(16,16)とフロントパネル(12)またはバックパネル(14)との隅部に、補強フレーム(70,70)が配設され、該補強フレーム(70)は、上下方向に延在してフロントパネル(12)またはバックパネル(14)に固定された鉛直部(76)と、各サイドパネル(16)の上縁部に沿って前後方向に延在して該サイドパネル(16)に固定された水平部(78)とから構成され、該水平部(78)に前記第１当接部(82)を形成した請求項１記載の断熱箱体。
【請求項３】
前記トップパネル(48)には、該トップパネル(48)の下面を保護するカバー部材(88)が設けられ、該カバー部材(88)の左右の縁部を下方に折曲げて前記第２当接部(90,90)を形成した請求項１または２記載の断熱箱体。
【発明の詳細な説明】
【技術分野】
【０００１】
この発明は、上部にトップパネルが配設された外箱と内部に収納室が画成された内箱とを備え、外箱および内箱の間に断熱材が充填された断熱箱体に関するものである。
【背景技術】
【０００２】
例えば、製氷部で製造した氷塊を貯氷室に貯留する貯氷庫が、喫茶店やレストラン等の施設その他の厨房において好適に使用されている(特許文献１参照)。図７は、このような貯氷庫１０の一例を示す概略斜視図であって、該貯氷庫１０は、フロントパネル１２、バックパネル１４および左右のサイドパネル１６,１６(図７では、右側のみ図示)で４面が構成された外箱１８と、該外箱１８の内部に配設され、製氷部２０で製造した氷塊を貯留可能な貯氷室２２が内部画成された内箱(ストッカ)２４とから断熱箱体１１を構成している。図８に示すように、外箱１８と内箱２４との間には、所要の充填空間が画成され、該空間に発泡ウレタン等の断熱材２６が充填されるようになっている。
【０００３】
前記外箱１８の上部には、トップパネル２８が配設され、該トップパネル２８により外箱１８の上方開口部を覆蓋するよう構成されている。前記トップパネル２８は、該トップパネル２８の前縁部および後縁部が、夫々、フロントパネル１２およびバックパネル１４にネジ３０,３０によりネジ止めされている。すなわち、前記トップパネル２８は、外箱１８に対して前後の縁部のみが固定されており、トップパネル２８の左右の縁部は、サイドパネル１６,１６に対しフリーな状態となっている。
【先行技術文献】
【特許文献】
【０００４】
【特許文献１】特開２００８−２４９１９０号公報
【発明の概要】
【発明が解決しようとする課題】
【０００５】
ところで、前記外箱１８および内箱２４の間に充填された断熱材２６は、その膨張圧により、外箱１８を構成する各パネル１２,１４,１６,１６に対し常に外向きの負荷を与えている(図７の矢印参照)。従って、各パネル１２,１４,１６,１６は外方へ拡がろうとするが、左右のサイドパネル１６,１６とトップパネル２８とは固定されていないため、図７の二点鎖線に示すように、断熱材２６の膨張圧によりサイドパネル１６,１６の前後方向の中央部が外方へ湾曲して、トップパネル２８との間に隙間が生じることがある。このような隙間が生ずると、貯氷室２２内の冷気が漏出して製氷能力が低下したり、トップパネル２８の内面に大量の結露が発生して衛生上の問題が生じることがあった。なお、前記フロントパネル１２およびバックパネル１４は、サイドパネル１６,１６に比べ剛性を有しており、断熱材２６の膨張圧による外箱１８の前後方向への拡がりは、フロントパネル１２およびバックパネル１４の剛性により防止されている。
【０００６】
そこで、この発明は、従来の技術に係る断熱箱体に内在している前記課題に鑑み、これを好適に解決するべく提案されたものであって、断熱材の膨張圧によりサイドパネルが外方へ拡がるのを防止し得る断熱箱体を提供することを目的とする。
【課題を解決するための手段】
【０００７】
前記課題を解決し、所期の目的を達成するため、本発明に係る断熱箱体は、
フロントパネル、左右のサイドパネルおよびバックパネルにより上方に開放する箱状に構成されると共に、上方開口部を覆蓋するようトップパネルが配設された外箱と、前記外箱に収容されると共に上方に開口して前記上方開口部に連通する収納室が内部画成された内箱とを備え、外箱および内箱の間に断熱材が充填された断熱箱体において、
前記各サイドパネルに上方へ突出するよう設けられ、該サイドパネルに沿って前後方向に延在する第１当接部と、
前記トップパネルの左右の縁部に下方へ突出するよう設けられ、該トップパネルの左右の縁部に沿って前後方向に延在すると共に、対応する前記第１当接部の側面に外側から当接する第２当接部とを備えたことを特徴とする。
請求項１の発明によれば、トップパネルに設けた第２当接部が各サイドパネルの第１当接部に外側から当接するので、断熱材の膨張圧によりサイドパネルが外方へ拡がるのを規制し得る。従って、トップパネルとサイドパネルとの間に隙間が生じることはなく、当該隙間から収納室内の空気が漏出するのを防止し得る。また、収納室を密閉し得るので、該収納室内を衛生的に保持し得る。
【０００８】
請求項２に係る断熱箱体では、前記左右の各サイドパネルとフロントパネルまたはバックパネルとの隅部に、補強フレームが配設され、該補強フレームは、上下方向に延在してフロントパネルまたはバックパネルに固定された鉛直部と、各サイドパネルの上縁部に沿って前後方向に延在して該サイドパネルに固定された水平部とから構成され、該水平部に前記第１当接部を形成した。
請求項２の発明によれば、補強フレームの水平部に第１当接部を形成したので、第１当接部の剛性が向上して、サイドパネルが拡がるのを確実に規制し得る。
【０００９】
請求項３に係る断熱箱体では、前記トップパネルには、該トップパネルの下面を保護するカバー部材が設けられ、該カバー部材の左右の縁部を下方に折曲げて前記第２当接部を形成した。
請求項３の発明によれば、トップパネルの下面にカバー部材を設けたので、該トップパネルの剛性を向上し得る。また、カバー部材に第２当接部を折曲成形したので、第２当接部を別部材で構成した場合に比べ部品点数が少なくなって、コストを低廉にし得る。
【発明の効果】
【００１０】
本発明に係る断熱箱体によれば、サイドパネルが外方へ拡がるのを防止して、トップパネルとサイドパネルとの間に隙間が生じるのを抑制し得る。
【図面の簡単な説明】
【００１１】
【図１】実施例に係る貯氷庫の全体構成を示す斜視図である。
【図２】実施例に係る貯氷庫を示す縦断側面図である。
【図３】(ａ)は補強フレームを示す平面図であり、(ｂ)は補強フレームを示す側面図である。
【図４】補強フレームのリブとカバー部材の折曲縁部が当接した状態を示す図１のIV−IV線縦断面図である。
【図５】実施例に係る貯氷庫を示す平面図である。
【図６】トップパネルを下側から見た斜視図である。
【図７】従来例に係る貯氷庫の全体構成を示す斜視図である。
【図８】従来例に係る貯氷庫を示す縦断側面図である。
【発明を実施するための形態】
【００１２】
次に、本発明に係る断熱箱体につき、好適な実施例を挙げて、添付図面を参照して以下に説明する。なお、以下の説明において「上」、「下」、「左」、「右」とは、断熱箱体におけるフロントパネルが設けられた側を基準として指称することとする。また、実施例では、断熱箱体を貯氷庫に採用した場合で説明するが、本発明に係る断熱箱体としては、貯氷庫に限定される訳でなく、例えば、収納室として低温に維持された冷蔵室を備える冷蔵庫や、収納室として高温に維持された貯蔵室を備える保管庫等に採用することが可能である。なお、従来技術で説明した部材と同一の部材については、同じ符号を付して説明することとする。
【実施例】
【００１３】
図１は、実施例に係る断熱箱体４０が採用された貯氷庫４２の外観を示す斜視図である。前記貯氷庫４２は、箱状をなす外箱１８と、内部に貯氷室(収納室)２２が画成された内箱(ストッカ)２４とから断熱箱体４０が構成されている。図２に示すように、前記外箱１８の内部は、前記内箱２４の下方に配設された仕切壁４４により上下に分割されており、外箱１８を構成する各パネル１２,１４,１６,１６(後述)、内箱２４および仕切壁４４で囲繞された空間に発泡ウレタン等の断熱材２６が充填されて、前記貯氷室(収納室)２２を断熱するよう構成される。
【００１４】
前記外箱１８は、前面をなすフロントパネル１２と、該フロントパネル１２に対向するバックパネル１４と、両側面をなす左右のサイドパネル１６,１６とを備え、外箱１８の上部に矩形状の上方開口部４６が上方に開口している。前記外箱１８の上部には、上方開口部４６を覆蓋するようトップパネル４８が配設されている。また、外箱１８の底部には、ボトムパネル５０が設けられ、該ボトムパネル５０と前記仕切壁４４との間に機械室５２が画成されている。この機械室５２には、圧縮機５４、凝縮器５６等の冷凍機構５８が配設され、該冷凍機構５８から冷媒が製氷部２０(後述)へ循環供給されるようになっている。また、前記外箱１８における機械室５２の前方は、前後方向に開口する空気吸込口６０が設けられ、該空気吸込口６０はルーバーパネル６２により覆蓋されている。
【００１５】
前記内箱２４は、上方および前方に開放するよう構成され、該内箱２４内の貯氷室２２は前記外箱１８の上方開口部４６に連通している。前記内箱２４の上部には、製氷部２０が配設されており、該製氷部２０は、前記冷凍機構５８から供給された冷媒により冷却されて氷塊を製造するよう構成される。そして、製氷部２０で製造された氷塊が該製氷部２０から剥離・落下して、貯氷室２２に氷塊が貯留されるようになっている。
【００１６】
前記フロントパネル１２は、後方に開放する箱状に形成されて所要の剛性を有している。フロントパネル１２には、前記貯氷室２２に連通する矩形状の氷取出口(開口部)６４が形成され、該氷取出口６４を介して貯氷室２２内の氷塊を取出し得るようになっている。前記フロントパネル１２には、氷取出口６４を開閉自在に閉成する開閉扉６６が配設されている。この開閉扉６６の左右の側縁部には、外方へ突出する一対のガイドピン６８,６８が上下に離間して夫々設けられ(図２では、右側のガイドピン６８,６８のみ図示)、各ガイドピン６８が後述する補強フレーム７０に形成した第１ガイド溝７２,第２ガイド溝７４に摺動可能に臨んでいる。なお、前記外箱１８の後面を画成する前記バックパネル１４は、剛性を有する平板で構成されている。すなわち、前記フロントパネル１２およびバックパネル１４の剛性を大きくすることで、前記断熱材２６の膨張圧による外箱１８の前後方向の拡がりを抑制している。
【００１７】
前記サイドパネル１６は、薄板状に形成されて、前記フロントパネル１２およびバックパネル１４に比べて剛性は小さくなっている。図２に示すように、前記各サイドパネル１６とフロントパネル１２との隅部の上側には、両者の組付強度を補強するよう剛性を備えた補強フレーム７０,７０が設けられている。各補強フレーム７０は、図３(ｂ)に示す如く、上下方向に延在する鉛直部７６と、該鉛直部７６の上端から直角に折曲して後方へ延出する水平部７８とから構成されている。図２に示すように、前記鉛直部７６は、略全体がフロントパネル１２の内部に臨んで、該鉛直部７６の外側面がフロントパネル１２の内側面に固定されている。また、前記鉛直部７６の内側面には、上下方向に延在する第１ガイド溝７２が形成されている。前記水平部７８は、サイドパネル１６の内面における上端縁に沿って該サイドパネル１６の前側から前後方向の略中央位置まで延在するよう配設されている。また、水平部７８の内側面には、前記第１ガイド溝７２の上部に連通して後方へ延在する第２ガイド溝７４が形成されている。すなわち、開閉扉６６の上下のガイドピン６８,６８が第１ガイド溝７２から第２ガイド溝７４へ移動する間に、開閉扉６６の上部側が断熱箱体４０内に臨んだ倒置姿勢となって氷取出口６４を開放させるようになっている。
【００１８】
前記水平部７８の上面には、図３(ａ)に示す如き形状の薄板状部材８０が設けられ、該薄板状部材８０の外側(貯氷庫４２の外方)の縁部の一部が前記サイドパネル１６の上端面に当接している(図４参照)。そして、前記薄板状部材８０におけるサイドパネル１６の上端面に当接する部位に、上方へ突出するリブ(第１当接部)８２が前後方向に延在するよう形成されている。すなわち、このリブ８２は、サイドパネル１６の前側から前後方向の略中央位置まで延在するよう設けられる。前記薄板状部材８０の前側には、上方および後方へ湾曲してフック状に形成された係合片８４が設けられている。この係合片８４は、図５に示すように、前記補強フレーム７０をサイドパネル１６およびフロントパネル１２の隅部に取付けた際に、該フロントパネル１２の上面後縁部から後方へ延出するようになっている。
【００１９】
前記トップパネル４８は、前記外箱１８の上方開口部４６を覆蓋し得るよう該上方開口部４６の開口寸法より僅かに大きな寸法に設定され、図６に示すように、前後左右の縁部が下方(図６では上方)へ折曲されて下方に開口する箱状に形成されている。前記トップパネル４８の前部には、矩形状の係合孔８６,８６が左右に離間して２つ設けられ、各係合孔８６に対応の補強フレーム７０の係合片８４が挿通係合することで、トップパネル４８の前側が外箱１８(補強フレーム７０,７０)に固定されるようになっている。また、トップパネル４８の後部は、図２に示すように、ネジ３０により前記バックパネル１４にネジ止めされるようになっている。すなわち、トップパネル４８は、フロントパネル１２およびバックパネル１４に前後の縁部が固定された状態で、外箱１８の上部に配設されるようになっている。
【００２０】
前記トップパネル４８の下面には、該下面を覆うよう断熱材２６が配設されると共に、該断熱材２６を覆うようにカバー部材８８が設けられている。前記カバー部材８８は、薄板状の部材から構成され、トップパネル４８の下面における後部側を残して該下面を覆うように配設されてトップパネル４８の保護および強度向上が図られている。カバー部材８８の左右の縁部は、図４に示すように、下方に折曲げられた後に更に外方へ折曲げられて折曲縁部(第２当接部)９０,９０が形成されている。そして、トップパネル４８を外箱１８に取付けた際に、各折曲縁部９０の内側を指向する内側面が、対応する補強フレーム７０のリブ８２に外側から当接するようになっている。すなわち、図５示すように、トップパネル４８を外箱１８に取付けた際に、各折曲縁部９０の内側面が、夫々、補強フレーム７０のリブ８２に外側から当接して、左右のサイドパネル１６が外方へ拡がるのを防止するよう構成される。ここで、左右の折曲縁部９０,９０の内側面の離間距離は、左右の補強フレーム７０,７０のリブ８２,８２における外側面の離間距離と略同一に設定され、トップパネル４８を外箱１８に取付けた際に、両折曲縁部９０,９０の内側面が対応するリブ８２,８２の外側面に確実に当接するようになっている。
【００２１】
(実施例の作用)
次に実施例に係る断熱箱体４０の作用について説明する。先ず始めに、補強フレーム７０をフロントパネル１２および各サイドパネル１６の隅部上側に固定する。すなわち、補強フレーム７０の鉛直部７６をフロントパネル１２の内側に臨ませて、鉛直部７６を該フロントパネル１２の内側面に固定すると共に、補強フレーム７０の水平部７８をサイドパネル１６の内側面に固定する。これにより、フロントパネル１２およびサイドパネル１６がしっかりと組付けられて、組付け強度の向上を図り得る。このとき、補強フレーム７０の薄板状部材８０におけるリブ８２が、サイドパネル１６の上端面から上方へ突出すると共に、該サイドパネル１６に沿って前後方向に延在する。すなわち、前記リブ８２,８２は、サイドパネル１６,１６の前側から前後方向の略中央位置まで延在している。
【００２２】
外箱１８に対しトップパネル４８を組付ける場合は、該トップパネル４８の前部に設けた係合孔８６,８６に前記補強フレーム７０,７０の係合片８４,８４を挿入させる。これにより、前記係合片８４,８４が係合孔８６,８６に係合して、トップパネル４８の前側が外箱１８(補強フレーム７０,７０)に固定される。次いで、トップパネル４８の後部側を前記バックパネル１４の上部にネジ３０によりネジ止めして(図２参照)、トップパネル４８が外箱１８に固定される。これにより、外箱１８の上方開口部４６がトップパネル４８により覆蓋される。
【００２３】
すると、図５に示すように、前記トップパネル４８におけるカバー部材８８の両折曲縁部９０,９０が、夫々、補強フレーム７０,７０のリブ８２,８２に対し外側から当接する。すなわち、各折曲縁部９０の内側面が前記リブ８２の外側面に外側から当接するので、両サイドパネル１６,１６は前後方向に亘って外側から規制されることとなる。従って、外箱１８および内箱２４の間に充填された断熱材２６の膨張圧によりサイドパネル１６,１６が外側へ拡がろうとしても、前記リブ８２,８２が折曲縁部９０,９０により規制されてサイドパネル１６,１６が拡がるのを阻止し得る。なお、断熱材２６の膨張圧による前記外箱１８の前後方向への拡がりは、前記フロントパネル１２およびバックパネル１４の剛性により防止される。
【００２４】
すなわち、サイドパネル１６,１６が外方へ拡がるのを抑制して、トップパネル４８と各サイドパネル１６との間に隙間が生じるのを防止し得る。従って、貯氷室２２内の冷気が外部へ漏れるのを抑制して、ランニングコストを抑え得る。また、トップパネル４８と各サイドパネル１６との間に生じた隙間から外気が流入すると、内外の温度差によりカバー部材８８に結露が生じて貯氷室２２内が不衛生となる虞がある。しかるに、実施例に係る断熱箱体４０では、トップパネル４８と各サイドパネル１６との間に隙間が生ずることがなく、カバー部材８８に結露が発生することがないので、貯氷室２２内を清潔にし得る。
【００２５】
更に、サイドパネル１６,１６が外方へ拡がると、両補強フレーム７０,７０に設けたガイド溝７２,７４の離間距離が大きくなって、開閉扉６６のガイドピン６８,６８がガイド溝７２,７４から外れてしまうことがある。このような事態が生ずると、開閉扉６６が開閉不能となったり、開閉扉６６がフロントパネル１２から脱落して、貯氷室２２内に落下してしまう虞がある。しかるに、実施例に係る断熱箱体４０では、サイドパネル１６,１６が外方へ拡がるのを防止し得るので、このような事態が生ずることはない。
【００２６】
また、実施例に係る断熱箱体４０では、サイドパネル１６の前側から前後方向の略中央位置まで延在するリブ８２に折曲縁部９０が当接する構成としたので、両者は所定長さで当接した状態となる。従って、リブ８２と折曲縁部９０とがしっかりと当接して、サイドパネル１６の拡がりを確実に防止し得る。更に、剛性を備えた補強フレーム７０の水平部７８にリブ８２を形成したので、強度を備えたリブ８２に折曲縁部９０が当接して、サイドパネル１６が湾曲するのを確実に規制し得る。しかも、実施例に係る断熱箱体４０では、トップパネル４８の下面にカバー部材８８を設けたので、該トップパネル４８の剛性を向上し得る。また、第２当接部としての折曲縁部９０,９０は、カバー部材８８の両側部に折曲成形して設けられるので、第２当接部を別部材で形成した場合に比べ部品点数が少なくなって、コストを低廉にし得る。
【００２７】
なお、実施例では、補強フレームにリブを形成した場合を示しが、各サイドパネルにリブ(第１当接部)を直接形成するようにしてもよい。また、実施例では、補強フレームをサイドパネルおよびフロントパネルの隅部に設けたが、例えば、補強フレームをサイドパネルおよびバックパネルの隅部に設けてもよい。この場合、補強フレームのリブは、サイドパネルの後側から前後方向の略中央位置まで延在することとなる。更に、サイドパネルとフロントパネルおよびサイドパネルとバックパネルの四隅に補強フレームを設け、前後に揃う補強フレームの水平部に夫々リブを形成することで、サイドパネルの前後方向の略全体に亘ってリブを形成してもよい。実施例では、トップパネルのカバー部材に折曲縁部を設け、該折曲縁部を第２当接部として機能する構成としたが、例えば、トップパネルの左右の縁部を折曲形成して第２当接部を形成してもよい。
【符号の説明】
【００２８】
１２フロントパネル，１６ サイドパネル，１４ バックパネル，１８ 外箱
２２ 貯氷庫(収納室)，２４ 内箱，２６ 断熱材，４６ 上方開口部
４８ トップパネル，７０ 補強フレーム，７６ 鉛直部，７８ 水平部
８２ リブ(第１当接部)，８８ カバー部材，９０ 折曲縁部(第２当接部)
【図１】
2010190433.tif 000003
【図２】
2010190433.tif 000004
【図３】
2010190433.tif 000005
【図４】
2010190433.tif 000006
【図５】
2010190433.tif 000007
【図６】
2010190433.tif 000008
【図７】
2010190433.tif 000009
【図８】
2010190433.tif 000010